(57)【要約】【課題】昨今、認知症患者の行方不明者が数千人もの多数存在することが明らかとなってきており、大きな社会問題となってきている。認知症患者の行方不明者を無くするには、必要時には伝えたいが、安易に見られたくない緊急連絡先等の個人識別情報を、患者にも知られることなく、安価で、確実かつ容易に取り付けらることが重要であり、本発明は、その名札を提供することにある。【解決手段】個人識別情報を印字、刻印または記憶した名札を、衣服のカフに既存するヘム内部に挿入し、設置することを特徴とする個人認証名札。【選択図】図１
2016037684.tif 000002
【特許請求の範囲】
【請求項１】
個人識別情報を印字、刻印または記憶した名札を、衣服のカフに既存するヘム内部に挿入し、設置することを特徴とする個人認証名札。
【発明の詳細な説明】
【技術分野】
【０００１】
本発明は、個人認証用名札に関する発明である。
【背景技術】
【０００２】
昨今、認知症患者の行方不明者が数千人もの多数存在することが明らかとなってきており、大きな社会問題となってきている。
この原因としては患者が、社会的に個人識別されている介護施設や家庭などから逃亡や逸散などによって離別してしまうことによって、患者が識別不能になることによっている。
【先行技術文献】
【特許文献】
【０００３】
【特許文献１】特開２０１０−２４０３５９号公報
【特許文献２】特開２００７−２９３５６１号公報
【発明の概要】
【発明が解決しようとする課題】
【０００４】
上述の識別不能状態を防ぐには、個人識別情報を記した名札を、確実に患者に取り付けることである。
そこで現在のところ、名前等を記したゼッケンなどを衣服に縫い付けてたり、下着等に直接名前を書いたりしているが、マジック等による記入では洗濯等によってインクが落ちてしまうことがあるために時折チェックする必要があり、頻繁な仕事の増加になっている。また、患者によっては、健常人と異なる衣服を着せられることに抵抗を感じる者も多く、プライドを傷つけられたと怒り出す者がいたり、それに手が届く場合などは無理やり自ら取り外してしまう者までいる。
【０００５】
そんなことから、患者にＧＰＳ機能付きのＩＣチップを体内に埋め込むべきだとの主張もあるが、外科手術が必須であり経済的負担や身体的な苦痛を伴うために、あまり勧められたものではない。したがって、認知症患者の行方不明者を無くするには、必要時には伝えたいが、安易に見られたくない緊急連絡先等の個人識別情報を、患者にも知られることなく、安価で、確実かつ容易に取り付けらることが重要であり、本発明は、その名札を提供することにある。
【課題を解決するための手段】
【０００６】
個人識別情報を印字、刻印または記憶した名札を、衣服のカフに既存するヘム内部に挿入し、設置することを特徴とする個人認証名札を使用することによって課題を解決できる。
【発明の効果】
【０００７】
本発明のようにヘムに名札を挿入、設置することにより、名札は直接視界から外されることになる。したがってヘムに名札を挿入した衣服を着用した場合、当然のごとく個人情報は保護され、プライバシーは守られる。
また直接目に触れる名札ではないことから、患者はプライドを傷つけられることもなく、また患者自身からもその取り付けを知られることがないなど、名札の保全上都合が良い。
【０００８】
加えて、名札の挿入、設置時には、一部ミシン目をはずしたり、既存のヘム部の一部を切ったりするだけ設置が可能であり、追加的な費用の発生はほとんど無く、安価な設置法が取れる。
さらに名札は、単にヘムに挿入、設置されているだけなので、手で触れれば名札の存在は容易に認識でき、必要としたとき、すなわち行方不明になったときなどには、この名札をヘムから取り出せば個人の認証が可能となる。
【０００９】
以上のように、本発明は認知症患者の個人認証名札を安価に設置でき、名札の保全も確実かつ容易に行うことができ、プライバシーを守ることも確実に行え、かつ必要な時には名札の情報を見ることが簡単に出来ることは明らかであり、行方不明者をなくするのに有効な個人認証名札と言える。
【図面の簡単な説明】
【００１０】
【図１】図１はシャツの正面図を示す。一般的にシャツには少なくとも首周り、左右の腕周り、腹部のカフ（１）があり、そのカフ部には各辺縁の生地を折り返したヘム（２）が作られ、ミシン等で生地に縫い合わせたミシン目（４）によって袋状に構成される。個人識別情報を記した個人認証名札（３）はヘム（４）の中に挿入され、設置される。
【図２】図２は図１の腹部ヘム断面図を示す。ヘム（２）の内部に個人認証名札（３）は挿入され、設置される。
【発明を実施するための形態】
【００１１】
以下、本発明を具体化した個人認証名札の一実施形態を図１、図２にしたがって説明する。
【００１２】
図１はシャツの正面図を示す。一般的にシャツには少なくとも首周り、左右の腕周り、腹部のカフ（１）があり、そこには各辺縁の生地を折り返し、ミシン等で生地に縫い合わせ、袋状になったヘム（２）が作られている。このようなヘムはシャツに限らず、下着、パンツ、上着等ほとんどの衣服で見られる。
【００１３】
その衣服のミシン目（４）の一部の糸をナイフ等で切断し、生地と折り返し部の生地との間に名札を挿入できるように隙間を作り、その隙間からあらかじめ作成した個人識別情報を記した個人認証名札（３）を挿入し、図２に示すヘム断面図のようにヘム（２）の内部に設置される。
しかし、ヘム作成のためのミシン目（４）は衣服の種類やメーカー等によっては強固に縫いつけられ、容易には名札を挿入できる隙間を作ることができない場合もあった。その場合には衣服のヘム（２）の肌側の生地にハサミを入れ、約２〜５ｍｍの挿入口を作ることで名札も挿入、設置が可能であった。
【００１４】
名札を挿入後、ミシン目や挿入口などでの糸や布地のほつれなどが気になるようであれば小さく切った熱可塑性接着シートをアイロンで接着することで容易に防ぐことが出来る。しかし実際には修復しなくても、数十回程度の洗濯によってそれほどほつれが目立つものでもなかった。
個人識別情報を記した個人認証名札（３）は、まず第１に、市販の幅約３〜１０ｍｍ、長さ約１００ｍｍ、厚さ約０．２〜０．５ｍｍのポリエステル製のリボンを使い、そこに黒や紺、茶などの油性インクのマジックペンで氏名、読み仮名、生年月日、連絡先の電話番号等を記した。
【００１５】
このような名札の作成は極めて容易、安価に行うことが出来る。しかしながら、色の濃い油性インクでは、生地の薄い衣服では記された個人情報が生地を通して判別される場合もあり、情報の秘匿上の問題と、加え洗濯ごとに記された文字は薄くなり、数十回の洗濯後には再度書き直す必要があるなど問題があることが判明した。
【００１６】
そこで第２に、第１で使ったリボンにレーザー加工機を使って上記の氏名等の個人情報を彫刻、刻印した個人認証名札を作成し、それを挿入、設置した。布製リボンに文字を彫刻、刻印することははなはだ難しいが、レーザー出力や加工スピードを微妙に調整しながら、レーザー光は貫通せず、しかしごく一部はリボン裏面まで熱変性が届く程度に加工を行った。
【００１７】
この第２の方法で作った名札は、名札の作成時に特殊な機器を必要とする欠点があるが、衣服と同系色のリボンを使った場合、生地の上からは名札の存在が簡単には識別できず、また文字が生地を通して判別されることもなく、さらに数十回程度の洗濯等によって文字は消えることはないなどの情報の秘匿の点で極めて好都合な事が分かった。
【００１８】
しかしながら、上記のリボンを使った方式では秘匿情報量が少なすぎる。そこで非接触型ICカードに用いられるRFIDを使った幅約２０ｍｍ、長さ約４０ｍｍの名札を作りそれを衣服のヘム（２）に挿入、設置してみた。情報の読み取り、書き込みに特殊な機器を必要とするなどの欠点はあるが、ヘム部に挿入されていても情報の読み取りが可能な事が確認できた。したがって、本発明の特徴であるヘム（２）に挿入、設置する個人認証名札（３）に電子的記憶素子を使った名札を用いることでも個人認証が可能であった。
【産業上の利用可能性】
【００１９】
本発明は、医療、介護、福祉関係の産業での利用が可能である。
【符号の説明】
【００２０】
１．カフ
２．ヘム
３．個人認証名札
４．ミシン縫い目
【図１】
2016037684.tif 000003
【図２】
2016037684.tif 000004